(57)【要約】【目的】  簡単に作成することができ且つこじり強度の向上を図ることができるシールドケース、及びこれを備えたコネクタを提供する。【構成】  シールドケース３００は、コンタクト２００ａ、２００ｂが配列されたボディ１００を収容可能な略角筒状の収容部３１０と、この収容部３１０の前端に設けられており且つ後側に折り返された折り返し部３２０と、この折り返し部３２０に設けられており且つ収容部３１０の天板部３１１及び側壁部３１３、３１４に沿って配置された略下向きＵ字状のカバー部３３０と、カバー部３３０の両端部に設けられた一対の第１、第２係止片３４０ａ、３４０ｂとを備えている。【選択図】      図１
2011096381.tif 000002
【特許請求の範囲】
【請求項１】
コンタクトが配列されたボディを収容可能な略角筒状の収容部と、
この収容部の前端又は後端に設けられており且つ後側又は前側に折り返された折り返し部と、
この折り返し部に設けられており且つ前記収容部の天板部及び両側壁部に沿って配置された略下向きＵ字状のカバー部とを備えていることを特徴とするシールドケース。
【請求項２】
請求項１記載のシールドケースにおいて、
前記カバー部の両端部には少なくとも一対の係止片が設けられていることを特徴とするシールドケース。
【請求項３】
前記折り返し部が前記収容部の天板部の前端に設けられている場合の請求項１又は２記載のシールドケースにおいて、
前記収容部の後端に設けられており且つ前記ボディの後端面の一部を覆うバックカバーを更に備えていることを特徴とするシールドケース。
【請求項４】
前記折り返し部が前記収容部の天板部の前端に設けられている場合の請求項１又は２記載のシールドケースにおいて、
前記カバー部の後端に設けられており且つ前記ボディの後端面の一部を覆うことが可能なバックカバーを更に備えていることを特徴とするシールドケース。
【請求項５】
請求項３又は４記載のシールドケースにおいて、
前記収容部の天板部には、該収容部の底板部に向けて凸の突起が設けられており、
前記突起はボディの前面に当接可能になっており、
前記バックカバーは、前記突起に当接した状態のボディの後面に当接するようになっていることを特徴とするシールドケース。
【請求項６】
請求項５記載のシールドケースにおいて、
前記突起は、ボディの前面に設けられた嵌合凹部に嵌合可能になっていることを特徴とするシールドケース。
【請求項７】
請求項３又は４記載のシールドケースにおいて、
前記収容部の底板部の後端がボディの前面に当接可能になっており、
前記バックカバーは、前記底板部に当接した状態のボディの後面に当接するようになっていることを特徴とするシールドケース。
【請求項８】
前記収容部に少なくとも第１、第２プラグコネクタが挿入可能になっている場合の請求項１乃至７の何れか一つに記載のシールドケースにおいて、
前記収容部の底板部には、仕切り部が前記天板部に向けて設けられており、
前記仕切り部が前記収容部内を前記第１、第２プラグコネクタが挿入可能な第１、第２挿入孔に区画していることを特徴とするシールドケース。
【請求項９】
請求項１乃至８の何れか一つに記載のシールドケースと、
このシールドケースの収容部に収容されたボディと、
このボディに幅方向に沿って配列されたコンタクトとを備えていることを特徴とするコネクタ。
【発明の詳細な説明】
【技術分野】
【０００１】
本発明は、シールドケース及びこれを備えたコネクタに関する。
【背景技術】
【０００２】
この種のコネクタとしては、２種類のプラグコネクタが接続可能になっている多極コネクタがある（特許文献１参照）。この多極コネクタは、シールドケースに２種類のプラグコネクタの外形に対応する２つの接続口が設けられている。この２つの接続口は、シールドケースの幅方向に並べて設けられていることから、該シールドケースの幅寸法が長くなる。また、前記接続口は、シールドケースの底板部中央が上方に折り曲げられた突脈又は前記底板部中央に設けられた突脈によって区切られているだけである。換言すると、前記接続口は、前記突脈により完全に区切られておらず、互いに連通している。このため、シールドケースの天板部の強度が弱く、一方の接続口にプラグコネクタが挿入され、該プラグコネクタの周方向にこじられると、シールドケースの天板部が撓むことがある。このように前記多極コネクタはこじり強度が弱いという問題を有している。
【０００３】
このような問題を解消し得るコネクタとして、第１シールドケースと、この第１シールドケース内に収容される第２シールドケースとを有しているものがある（特許文献２参照）。この第１、第２シールドケースが二重構造となっているため、前述の通り幅広な形状となったとしても、こじり強度の低下を抑制することができる。
【先行技術文献】
【特許文献】
【０００４】
【特許文献１】特開２００３−１７１６５号公報
【特許文献２】実用新案登録第３１０９２９４号公報
【発明の概要】
【発明が解決しようとする課題】
【０００５】
ところが、前記コネクタは、第１シールドケース内に第２シールドケースを収容しなければならないことから、組み立てが面倒であるという別の問題を有している。
【０００６】
本発明は、上記事情に鑑みて創案されたものであって、その目的とするところは、簡単に作成することができ且つこじり強度の向上を図ることができるシールドケース、及びこれを備えたコネクタを提供することにある。
【課題を解決するための手段】
【０００７】
上記課題を解決するために、本発明のシールドケースは、コンタクトが配列されたボディを収容可能な略角筒状の収容部と、この収容部の前端又は後端に設けられており且つ後側又は前側に折り返された折り返し部と、この折り返し部に設けられており且つ前記収容部の天板部及び両側壁部に沿って配置された略下向きＵ字状のカバー部とを備えている。
【０００８】
このようなシールドケースによる場合、前記カバー部が前記収容部の天板部及び両側壁部に沿って配置されることにより、該収容部の天板部及び両側壁部と、カバー部とが二重構造をなしている。このため、接続対象がシールドケースの収容部に挿入され、周方向にこじられたとしても、該収容部の天板部が撓むのを抑制することができるので、その結果として、本シールドケースのこじり強度の向上を図ることができる。また、本シールドケースは、前記収容部と、この収容部の天板部の前端又は後端に設けられ且つ後側又は前側に折り返された折り返し部と、この折り返し部に設けられたカバー部とを備えた構成であることから、従来例の如く２つのシールドケースを組み合わせる必要がなく、プレス成形等により簡単に作成することができる。
【０００９】
前記カバー部の両端部には少なくとも一対の係止片が設けられていることが好ましい。この場合、前記収容部の底板部を切り欠いて係止片を作成する必要がなく、該底板部の切り欠いた箇所に孔が形成されることもない。よって、前記収容部を基板上に設置し、前記係止片を基板に半田接続する場合であっても、半田接続時に発生する半田やフラックスが前記収容部内に侵入するのを抑制することができる。また、前記収容部に挿入される接続対象が前記孔に引っ掛かることもない。
【００１０】
前記折り返し部が前記収容部の天板部の前端に設けられている場合、前記収容部の後端又は前記カバーの後端にはバックカバーを設けることが可能である。前記バックカバーは、前記ボディの後端面の一部を覆うことが可能になっている。この場合、前記バックカバーにボディの後端面の一部を覆うことにより、本シールドケースを備えるレセプタクルコネクタのインピーダンス整合及びＥＭＩ特性の向上を図ることができる。
【００１１】
前記収容部の天板部には、該収容部の底板部に向けて凸の突起を設けることが可能である。前記突起はボディの前面に当接可能になっている。前記バックカバーは、前記突起に当接した状態のボディの後面に当接するようになっている。すなわち、前記突起と、前記バックカバーとの間で前記ボディを挟持することができるようになっている。よって、ボディを前記収容部内で簡単に位置固定することができるので、ボディの収容部への組み込みが簡単になる。
【００１２】
前記突起はボディの前面に設けられた嵌合凹部に嵌合可能になっていることが好ましい。この場合、前記突起がボディの嵌合凹部に嵌合することにより、ボディの収容部内における位置決めを行うことができる。
【００１３】
また、前記収容部の底板部の後端がボディの前面に当接可能とすることが可能である。この場合、前記バックカバーは、前記底板部に当接した状態のボディの後面に当接している。すなわち、前記収容部の底板部と前記バックカバーとの間でボディを挟持することができるようになっている。このようにボディを前記収容部内で簡単に位置固定することができるので、ボディの収容部への組み込みが簡単になる。
【００１４】
前記収容部に少なくとも第１、第２プラグコネクタが挿入可能になっている場合、前記収容部の底板部には仕切り部が前記天板部に向けて設けられている。前記仕切り部が前記収容部内を前記第１、第２プラグコネクタが挿入可能な第１、第２挿入孔に区画している。
【００１５】
本発明のコネクタは、上記シールドケースと、このシールドケースの収容部に収容されたボディと、このボディに幅方向に沿って配列されたコンタクトとを備えている。
【図面の簡単な説明】
【００１６】
【図１】本発明の実施の形態に係るレセプタクルコネクタの基板実装状態を示す概略図であって、（ａ）が正面図、（ｂ）が背面図である。
【図２】前記コネクタの基板実装状態を示す概略図であって、（ａ）が平面図、（ｂ）が底面図である。
【図３】前記コネクタの基板実装状態を示す概略図であって、（ａ）が右側面図、（ｂ）が左側面図である。
【図４】（ａ）が前記コネクタの図１（ａ）中のＡ−Ａ断面図、（ｂ）が前記コネクタの図１（ａ）中のＢ−Ｂ断面図、（ｃ）が前記コネクタの図１（ａ）中のＣ−Ｃ断面図である。
【図５】前記コネクタが実装される基板の模式的平面図である。
【発明を実施するための形態】
【００１７】
以下、本発明の実施の形態に係るレセプタクルコネクタ（以下、レセプタクルと称する。）について図１乃至図５を参照しつつ説明する。図１に示すレセプタクルは、電子機器の基板１０に実装され、図示しないＭｉｃｒｏ  ＵＳＢ２．０プラグコネクタ（以下、ＵＳＢ２．０プラグと称する。）及びＭｉｃｒｏ  ＵＳＢ３．０プラグコネクタ（以下、ＵＳＢ３．０プラグと称する。）が接続可能なコネクタである。このレセプタクルは、ボディ１００と、複数の第１、第２コンタクト２００ａ、２００ｂと、シールドケース３００とを備えている。以下、各部の動作について説明する。
【００１８】
シールドケース３００は導電性を有する金属板がプレス成型されたものである。このシールドケース３００は、図１乃至図４に示すように、収容部３１０と、３つの折り返し部３２０と、カバー部３３０と、一対の第１、第２係止片３４０ａ、３４０ｂと、第１バックカバー３５０ａと、一対の第２バックカバー３５０ｂと、一対の第３バックカバー３５０ｃとを有している。収容部３１０は、図１に示すように、略角筒状となっている。この収容部３１０は、天板部３１１と、天板部３１１に対向配置された底板部３１２と、天板部３１１及び底板部３１２の両端部を繋ぐ側壁部３１３、３１４とを有している。底板部３１２は、図１（ａ）及び図２（ｂ）に示すように、略矩形状の板体であって、その中央部が天板部３１１に向けて下向き略Ｖ字状に折り曲げられている。また、底板部３１２の図１（ａ）の図示左側部分が傾斜している。底板部３１２の中央部は、図２（ｂ）に示すように、底板部３１２の両端部によりも後方に張り出している。前記折り曲げ部が収容部３１０の内部を第１、第２挿入孔３１０ａ、３１０ｂに区画する仕切り部３１２ａとなっている。第１、第２挿入孔３１０ａ、３１０ｂの内形は、ＵＳＢ２．０プラグ、ＵＳＢ３．０プラグの外形に対応した形状となっている。すなわち、第１挿入孔３１０ａにＵＳＢ２．０プラグが、第２挿入孔３１０ｂにＵＳＢ３．０プラグが挿入可能となっている。天板部３１１は、図１（ａ）及び図２（ａ）に示すように、略矩形状の板体である。この天板部３１１には、該天板部３１１の一部を上方に切り上げた一対の切り上げ片３１１ａが設けられている。天板部３１１の奥側部分には、図１、図４（ａ）及び図４（ｂ）に示すように、３つの突起３１１ｂが底板部３１２に向けて突設されている。側壁部３１３は略矩形状の板体である。側壁部３１４は側壁部３１３よりも高さ寸法が小さい略矩形状の板体である。この側壁部３１３、３１４の下端部後端には、図１（ｂ）、図２（ｂ）及び図３に示すように、後方に突設されたガイド片３１３ａ、３１４ａが設けられている。ガイド片３１３ａ、３１４ａの間の間隔は、ボディ１００の本体部１１０の幅寸法よりも若干大きくなっている。
【００１９】
折り返し部３２０は、図３及び図４に示すように、天板部３１１の前端の中央部及び幅方向の両端部に各々連設され且つシールドケース３００の後側に向けて折り返された断面視略横向きＵ字状の板体である。この折り返し部３２０の上端にはカバー部３３０が連設されている。
【００２０】
カバー部３３０は、図１に示すように、下向き略Ｕ字状の板体である。カバー部３３０は、中央補強板３３１と、一対の両側補強板３３２（両端部）とを有している。中央補強板３３１は、前面に折り返し部３２０が各々連設された天板部３１１よりも幅寸法が大きい略矩形状の板体であって、天板部３１１の上面に沿って配置されている。この中央補強板３３１には、図２（ａ）及び図４（ｂ）に示すように、天板部３１１の切り上げ片３１１ａに対応する位置に略矩形状の長孔３３１ａが設けられている。この長孔３３１ａに切り上げ片３１１ａの先端部が挿入されている。両側補強板３３２は、図１に示すように、中央補強板３３１の両端部に連設された略矩形状の板体であって、側壁部３１３、３１４の外面に沿って配置されている。両側補強板３３２の下端には、第１係止片３４０ａ及び第２係止片３４０ｂが下方に向けて延設されている。この第１、第２係止片３４０ａ、３４０ｂが基板１０の係止孔１１、係止孔１２に挿入され、グランド接続される部位である。
【００２１】
第１バックカバー３５０ａは、図１（ｂ）に示すように、収容部３１０の天板部３１１の後端中央部に連設されている。第２バックカバー３５０ｂは、図１（ｂ）に示すように、収容部３１０の天板部３１１の後端の第１バックカバー３５０ａの両側に連設されている。第３バックカバー３５０ｃは、図１（ｂ）に示すように、収容部３１０の側壁部３１３、３１４の上端部の後端に各々連設されている。第１バックカバー３５０ａは、折り曲げ部３５１ａと、この折り曲げ部３５１ａに連設された略矩形状の板体であるカバー本体部３５２ａとを有している。折り曲げ部３５１ａが天板部３１１に対して略直角に折り曲げられ、カバー本体部３５２ａがボディ１００の本体部１１０の後端面の中央部に沿って配置され且つ該後端面の中央部に当接している。第２バックカバー３５０ｂは、一対の折り曲げ部３５１ｂと、この折り曲げ部３５１ｂに連設された略Ｌ字状の板体であるカバー本体部３５２ｂとを有している。第３バックカバー３５０ｃは、折り曲げ部３５１ｃと、この折り曲げ部３５１ｃに連設された略矩形状の板体であるカバー本体部３５２ｃとを有している。折り曲げ部３５１ｂが天板部３１１に対して略直角に折り曲げられ、折り曲げ部３５１ｃが側壁部３１３、３１４に対して略直角に折り曲げられている。カバー本体部３５２ｂ、３５２ｃはボディ１００の本体部１１０の後端面の両端部に沿って配置され且つ該後端面の両端部に当接している。
【００２２】
ボディ１００は、図１（ａ）に示すように、絶縁樹脂製の成型品である。このボディ１００は、本体部１１０、と、第１、第２凸部１２０ａ、１２０ｂとを有している。本体部１１０は断面視略矩形状の板状体であって、シールドケース３００の収容部３１０内に収容されている。この本体部１１０の上端部には、３つの嵌合凹部１１１が設けられている。この嵌合凹部１１１にシールドケース３００の突起３１１ｂが嵌合している。この嵌合凹部１１１の底面がシールドケース３００の突起３１１ｂに当接している。また、本体部１１０の後側部の下端には、図２（ｂ）に示すように、一対の両側突脈１１２と、両側突脈１１２の間に位置する中央突脈１１３とが設けられている。両側突脈１１２の前面がシールドケース３００の底板部３１２の両端部後端に当接し、中央突脈１１３の前面がシールドケース３００の底板部３１２の中央部後端に当接している。また、本体部１１０の後端面には、図４に示すように、第１、第２、第３バックカバー３５０ａ、３５０ｂ、３５０ｃのカバー本体部３５２ａ、３５２ｂ、３５２ｃが当接している。すなわち、本体部１１０は、シールドケース３００の突起３１１ｂ及び底板部３１２の後端と、第１、第２、第３バックカバー３５０ａ、３５０ｂ、３５０ｃのカバー本体部３５２ａ、３５２ｂ、３５２ｃとの間で挟持されている。また、本体部１１０の両側突脈１１２が、図２（ｂ）に示すように、ガイド片３１３ａ、３１４ａに当接している。
【００２３】
本体部１１０の前面の図１（ａ）中の右側部分の前面には第１凸部１２０ａが、左側部分の前面には第２凸部１２０ｂが突設されている。第１凸部１２０ａは平板状の凸部であって、シールドケース３００の収容部３１０の第１挿入孔３１０ａ内に配置されている。第１凸部１２０ａの下面には、複数の長溝１２１ａが幅方向に間隔を空けて設けられている。第２凸部１２０ｂは、平板状の凸部であって、シールドケース３００の収容部３１０の第２挿入孔３１０ｂ内に配置されている。第２凸部１２０ｂの下面には、複数の長溝１２１ｂが幅方向に間隔を空けて設けられている。本体部１１０及び第１凸部１２０ａ内には、インサート成形により第１コンタクト２００ａが幅方向に間隔を空けて（長溝１２１ａと同ピッチ間隔で）埋設されている。また、本体部１１０及び第２凸部１２０ｂ内には、インサート成形により第２コンタクト２００ｂが幅方向に間隔を空けて（長溝１２１ｂと同ピッチ間隔で）埋設されている。
【００２４】
各第１コンタクト２００ａは、図４（ａ）に示すように、略Ｌ字状の導電性を有する細長い金属板である。この第１コンタクト２００ａは、略Ｌ字状の中間部２１０ａと、中間部２１０ａの先端に連続する先端部２２０ａと、中間部２１０ａの後端に連設されたテール部２３０ａとを有している。中間部２１０ａは、ボディ１００の本体部１１０内に埋設され、その後端が本体部１１０の両側突脈１１２から下方に突出している。先端部２２０ａは、第１凸部１２０ａ内に埋設され、該先端部２２０ａの下端部が第１凸部１２０ａの長溝１２１ａから露出している。この露出した部分がＵＳＢ２．０プラグのコンタクトが接触する部分となる。テール部２３０ａはボディ１００の両側突脈１１２の下面に沿って後方に向けて延出している。このテール部２３０ａが基板１０の電極１３ａに半田接続される部位となっている。
【００２５】
各第２コンタクト２００ｂは、図４（ｃ）に示すように、略Ｌ字状の導電性を有する細長い金属板である。この第２コンタクト２００ｂは、略Ｌ字状の中間部２１０ｂと、中間部２１０ｂの先端に連続する先端部２２０ｂと、中間部２１０ｂの後端に連設されたテール部２３０ｂとを有している。中間部２１０ｂは、ボディ１００の本体部１１０内に埋設され、その後端が本体部１１０の両側突脈１１２から下方に突出している。先端部２２０ｂは、第２凸部１２０ｂ内に埋設され、該先端部２２０ｂの下端部が第２凸部１２０ｂの長溝１２１ｂから露出している。この露出した部分がＵＳＢ３．０プラグのコンタクトが接触する部分となる。テール部２３０ｂはボディ１００の両側突脈１１２の下面に沿って後方に向けて延出している。このテール部２３０ｂが基板１０の電極１３ｂに半田接続される部位となっている。
【００２６】
以下、上述した構成のレセプタクルの組み立て手順について説明する。まず、第１、第２コンタクト２００ａ、２００ｂがインサート成形されたボディ１００を用意する。これと共に、第１、第２、第３バックカバー３５０ａ、３５０ｂ、３５０ｃの折り曲げ部３５１ａ、３５１ｂ、３５１ｃが折り曲げられる前の状態のシールドケース３００を用意する。その後、ボディ１００をシールドケース３００の収容部３１０の後側開口からボディ１００を挿入する。このとき、ボディ１００の第１、第２凸部１２０ａ、１２０ｂが収容部３１０の第１、第２挿入孔３１０ａ、３１０ｂ内に挿入されると共に、ボディ１００の本体部１１０の幅方向の両端部がシールドケース３００の一対のガイド片３１３ａ、３１４ａに当接し、該ガイド片３１３ａ、３１４ａにガイドされる。ボディ１００をシールドケース３００の収容部３１０内に更に挿入すると、ボディ１００の本体部１１０の嵌合凹部１１１にシールドケース３００の突起３１１ｂが嵌合すると共に、ボディ１００の両側突脈１１２がシールドケース３００の底板部３１２の両端部に当接し、該ボディ１００の中央突脈１１３がシールドケース３００の底板部３１２の中央部に当接する。その後、第１、第２、第３バックカバー３５０ａ、３５０ｂ、３５０ｃの折り曲げ部３５１ａ、３５１ｂ、３５１ｃを略直角に折り曲げ、第１、第２、第３バックカバー３５０ａ、３５０ｂ、３５０ｃのカバー本体部３５２ａ、３５２ｂ、３５２ｃをボディ１００の本体部１１０の後端面に当接させる。
【００２７】
このように組み立てられたレセプタクルは次のように基板１０に実装される。まず、シールドケース３００の第１、第２係止片３４０ａ、３４０ｂを基板１０の係止孔１１、１２に挿入し、該シールドケース３００の底板部３１２を基板１０上に設置する。このとき、第１、第２コンタクト２００ａ、２００ｂのテール部２３０ａ、２３０ｂが基板１０の電極１３ａ、１３ｂ上に各々載置される。その後、第１、第２係止片３４０ａ、３４０ｂを基板１０の係止孔１１、１２に、テール部２３０ａ、２３０ｂを基板１０の電極１３ａ、１３ｂに半田接続する。
【００２８】
以下、上述したレセプタクルにＵＳＢ２．０プラグ又はＵＳＢ３．０プラグを接続する手順について説明する。ＵＳＢ２．０プラグをシールドケース３００の収容部３１０の第１挿入孔３１０ａに挿入すると、ＵＳＢ２．０プラグのコンタクトがボディ１００の第１凸部１２０ａの凹部１２１ａから露出する第１コンタクト２００ａの先端部２２０ａに接触する。これにより、ＵＳＢ２．０プラグが本レセプタクルに接続される。ＵＳＢ３．０プラグをシールドケース３００の収容部３１０の第２挿入孔３１０ｂに挿入すると、ＵＳＢ３．０プラグのコンタクトがボディ１００の第２凸部１２０ｂの凹部１２１ｂから露出する第２コンタクト２００ｂの先端部２２０ｂに接触する。これにより、ＵＳＢ３．０プラグが本レセプタクルに接続される。
【００２９】
このようなレセプタクルによる場合、シールドケース３００のカバー部３３０が収容部３１０の天板部３１１及び側壁部３１３、３１４に沿って配置されている。すなわち、収容部３１０の天板部３１１及び側壁部３１３、３１４と、カバー部３３０の中央補強板３３１及び両側補強板３３２とが二重構造をなしている。このため、ＵＳＢ２．０プラグがシールドケース３００の収容部３１０の第１挿入孔３１０ａに、又はＵＳＢ３．０プラグが収容部３１０の第２挿入孔３１０ｂに挿入された状態で、周方向にこじられたとしても、収容部３１０の天板部１１１が撓むのを抑制することができる。よって、本レセプタクルのシールドケース３００のこじり強度の向上を図ることができる。また、シールドケース３００が、収容部３１０と、この収容部３１０の天板部１１１の前端に設けられ且つ後側に折り返された折り返し部３２０と、この折り返し部３２０に設けられたカバー部３３０と、カバー部３３０の両側補強板３３２の下端に延設された一対の第１、第２係止片３４０ａ、３４０ｂと、収容部３１０の天板部３１１の後端に連設された第１バックカバー３５０ａ及び一対の第１、第２バックカバー３５０ｂと、収容部３１０の側壁部３１３、３１４に連設された一対の第３バックカバー３５０ｃとを有する構成であることから、プレス成形により簡単に作成することができる。
【００３０】
また、カバー部３３０の両側補強板３３２の下端に一対の第１、第２係止片３４０ａ、３４０ｂが延設されている。このため、収容部３１０の底板部３１２を切り欠きて係止片を作成する必要がなく、該底板部３１２の切り欠いた箇所に孔が形成されることもない。よって、本レセプタクルを基板１０上に設置し、第１、第２係止片３４０ａ、３４０ｂを基板１０の係止孔１１、１２に半田接続する際に、半田やフラックスが収容部３１０内に侵入するのを抑制することができる。また、収容部３１０の第１、第２挿入孔３１０ａ、３１０ｂにＵＳＢ２．０プラグ、ＵＳＢ３．０プラグを挿入する際に、前記孔に引っ掛かることがない。
【００３１】
また、ボディ１００をシールドケース３００の収容部３１０に挿入する際に、本体部１１０の凹部１１１にシールドケース３００の突起３１１ｂが嵌合すると共に、本体部１１０の両側突脈１１２、中央突脈１１３がシールドケース３００の底板部３１２に当接させ、その後、第１、第２、第３バックカバー３５０ａ、３５０ｂ、３５０ｃの折り曲げ部３５１ａ、３５１ｂ、３５１ｃを折り曲げ、カバー本体部３５２ａ、３５２ｂ、３５２ｃを本体部１１０の後端面に当接させるだけで、本体部１１０がシールドケース３００の突起３１１ｂ及び底板部３１２と、カバー本体部３５２ａ、３５２ｂ、３５２ｃとの間で挟持されるようになっている。このようにボディ１００をシールドケース３００の収容部３１０内で簡単に位置固定することができるので、ボディ１００を収容部３１０に簡単に組み込むことができる。しかも、ボディ１００をシールドケース３００の収容部３１０に挿入する際に、ボディ１００の本体部１１０の一対の両側突脈１１２がシールドケース３００の一対のガイド片３１３ａ、３１４ａにガイドされるようになっているので、本体部１１０の凹部１１１にシールドケース３００の突起３１１ｂを容易に嵌合させることができる。
【００３２】
更に、第１、第２、第３バックカバー３５０ａ、３５０ｂ、３５０ｃのカバー本体部３５２ａ、３５２ｂ、３５２ｃを本体部１１０の後端面が覆われているので、本レセプタクルのインピーダンス整合及びＥＭＩ特性の向上を図ることができる。
【００３３】
なお、上述したレセプタクルコネクタは、上記実施の形態に限定されるものではなく、特許請求の範囲の記載の範囲において任意に設計変更することが可能である。以下、詳しく述べる。
【００３４】
上記実施の形態では、シールドケース３００の収容部３１０の第１、第２挿入孔３１０ａ、３１０ｂには、Ｍｉｃｒｏ  ＵＳＢ２．０プラグコネクタ、Ｍｉｃｒｏ  ＵＳＢ３．０プラグコネクタが挿入可能になっているとしたが、これに限定されるものではない。第１、第２挿入孔３１０ａ、３１０ｂには、Ｍｉｃｒｏ  ＵＳＢ２．０プラグコネクタ、Ｍｉｃｒｏ  ＵＳＢ３．０プラグコネクタ以外のプラグコネクタを挿入可能な構成とすることができる。また、上記実施の形態では、収容部３１０の内部は、底板部３１２の仕切り部３１２ａにより、第１、第２挿入孔３１０ａ、３１０ｂに区画されているとしたが、これに限定されるものではない。すなわち、収容部３１０は、仕切り部３１２ａにより区画されておらず、プラグコネクタが挿入可能な一つの挿入孔を有する構成とすることが可能である。上述した収容部の挿入孔には、プラグコネクタだけでなく、レセプタクルコネクタが挿入可能な構成とすることが可能である。すなわち、本発明は、レセプタクルコネクタだけでなく、プラグコネクタに適応可能である。なお、仕切り部３１２ａは、収容部３１０の底板部３１２を折り曲げて作成するだけでなく、収容部３１０の底板部３１２の一部を切り起こしたり、別体の仕切り部を底板部３１２上に設けたりすることも可能である。
【００３５】
また、上記実施の形態では、折り返し部３２０は、収容部３１０の天板部３１１の前端に設けられ、後側に向けて折り返されているとしたが、天板部３１１の後端に設けられ、前側に向けて折り返された構成とすることも可能である。また、折り返し部３２０は、収容部３１０の天板部３１１ではなく、側壁部３１３、３１４の前端又は後端に設けることも可能である。この場合、折り返し部３２０は、側壁部３１３、３１４の前端又は後端と両側補強板３３２の前端又は後端との間を繋ぐ平面視略Ｕ字状とすれば良い。折り返し部３２０を天板部３１１、側壁部３１３、３１４の後端に設ける場合には、第１、第２、第３バックカバー３５０ａ、３５０ｂ、３５０ｃは省略すれば良い。
【００３６】
上記実施の形態では、収容部３１０の天板部３１１に突起３１１ｂがボディ１００の本体部１１０の嵌合凹部１１１に嵌合するとしたが、これに限定されるものではない。突起３１１ｂは、少なくとも一つあれば良く、また、省略することが可能である。また、突起３１１ｂを本体部１１０の前面に当接させるようにすることも可能である。同様に、収容部３１０の底板部３１２の後端が本体部１１０の両側突脈１１２、中央突脈１１３に各々当接する形状であるとしたが、両側突脈１１２及び中央突脈１１３の一方が収容部３１０の底板部３１２に当接する構成とすることも可能であるし、両側突脈１１２及び中央突脈１１３が底板部３１２に当接しない構成とすることも可能である。上記実施の形態では、底板部３１２は、中央部が後方に張り出しているとしたが、中央部と両端部とがフラットな形状とすることが可能である。
【００３７】
上記実施の形態では、シールドケース３００は、第１、第２、第３バックカバー３５０ａ、３５０ｂ、３５０ｃを有するとしたが、これに限定されるものではない。例えば、シールドケース３００が第１、第２、第３バックカバー３５０ａ、３５０ｂ、３５０ｃの少なくとも一つを有する構成とすることが可能であるし、第１、第２、第３バックカバー３５０ａ、３５０ｂ、３５０ｃを省略した構成とすることも可能である。また、第１、第２、第３バックカバー３５０ａ、３５０ｂ、３５０ｃは、収容部３１０の後端ではなく、カバー部３３０の後端に設けることも可能である。
【００３８】
また、上記実施の形態では、第１、第２係止片３４０ａ、３４０ｂは、カバー部３３０の両側補強板３３２の下端に延設されているとしたが、これに限定されるものではない。例えば、第１、第２係止片３４０ａ、３４０ｂを両側補強板３３２の一部を切り欠いて作成することも可能である。また、第１、第２係止片３４０ａ、３４０ｂを収容部３１０の底板部３１２に設けることも可能である。第１、第２係止片３４０ａ、３４０ｂは少なくとも一組あれば良い。また、本コネクタがプラグコネクタに適応される場合には、第１、第２係止片３４０ａ、３４０ｂは省略することが可能である。
【００３９】
また、上記実施の形態では、シールドケース３００は、金属板がプレス成形されたものであるとしたが、絶縁樹脂製のケースの内面に金属を蒸着したものであっても良い。
【００４０】
ボディ１００の形状は、収容部の挿入孔に挿入される接続対象の形状に応じて適宜変更することが可能である。コンタクト２００ａ、２００ｂの形状及び配列についても、前記接続対象の形状に応じて適宜変更することが可能である。
【００４１】
なお、上記実施の形態におけるレセプタクルコネクタの各部を構成する素材、形状、個数や寸法等はその一例を説明したものであって、同様の機能を実現し得る限り任意に設計変更することが可能である。
【符号の説明】
【００４２】
１０・・・・・基板
１１・・・・係止孔
１２・・・・係止孔
１３ａ・・・電極
１３ｂ・・・電極
１００・・・・ボディ
１１０・・・本体部
１１１・・嵌合凹部
１１２・・両側突脈
１１３・・中央突脈
１２０ａ・・第１凸部
１２０ｂ・・第２凸部
２００ａ・・・第１コンタクト
２００ｂ・・・第２コンタクト
３００・・・・シールドケース
３１０・・・収容部
３１１・・天板部
３１１ａ・切り上げ片
３１１ｂ・突起
３１２・・底板部
３１３・・側壁部
３１４・・側壁部
３２０・・・折り返し部
３３０・・・カバー部
３４０ａ・・第１係止片
３４０ｂ・・第２係止片
３５０ａ・・第１バックカバー
３５０ｂ・・第２バックカバー
３５０ｃ・・第３バックカバー
【図１】
2011096381.tif 000003
【図２】
2011096381.tif 000004
【図３】
2011096381.tif 000005
【図４】
2011096381.tif 000006
【図５】
2011096381.tif 000007